(57)【要約】【課題】  制御特性を安定化させるために使用されるグリースはリニアアクチュエータの駆動範囲で均一でない為、フォーカスの起動特性の悪化、停止精度の悪化、オーバーシュート、ボケ止まり等が発生する恐れがある。【解決手段】  フォーカス、ズームの駆動制御を行う制御手段を有し、該制御手段はフォーカスの初期動作終了を少なくともズームの初期動作の終了を検出してから行うことを特徴とする。【選択図】  図１
2006030767.tif 000002
【特許請求の範囲】
【請求項１】
撮像面に被写体像を結像させるレンズと、焦点調節を行うフォーカスと、該フォーカスを駆動するリニアアクチュエータ駆動手段と、焦点倍率を変更するズームと、該ズームを駆動する駆動手段と、該フォーカスと該ズームの駆動制御を行なう制御手段を有し、該制御手段は該フォーカスの初期動作終了を該フォーカス以外の検出可能なレンズ装置及び撮像システムの初期動作の終了を検出してから行うことを特徴とするレンズ装置および撮像システム。
【請求項２】
撮像面に被写体像を結像させるレンズと、焦点調節を行うフォーカスと、該フォーカスを駆動するリニアアクチュエータ駆動手段と、焦点倍率を変更するズームと、該ズームを駆動する駆動手段と、該フォーカス、ズームの駆動制御を行う制御手段を有し、該制御手段はフォーカスの初期動作終了を少なくともズームの初期動作の終了を検出してから行うことを特徴とするレンズ装置および撮像システム。
【請求項３】
請求項１および２において、該制御手段はフォーカス以外の初期動作終了の検出を行っている間にリニアアクチュエータの駆動を行っていることを特徴とする。
【請求項４】
交換レンズシステムにおいて、交換レンズは撮像面に被写体像を結像させるレンズと、焦点調節を行うフォーカスと、該フォーカスを駆動するリニアアクチュエータ駆動手段と、焦点倍率を変更するズームと、該ズームを駆動する駆動手段と、該フォーカス、ズームの駆動制御を行なうレンズ制御手段を有し、該交換レンズを着脱可能なカメラは該レンズと通信する通信機能を有するカメラ制御手段と、撮像素子を有し、該レンズ制御手段はフォーカスの初期動作終了をフォーカス以外の検出可能な交換レンズのその他の初期動作の終了と、カメラ制御手段からのカメラ初期動作終了情報の検出を得てから行なうことを特徴とする交換レンズシステム。
【請求項５】
フォーカスレンズとズームレンズを有し、フォーカスまたはズームの駆動手段としていずれかにリニアアクチュエータを一つ有するレンズ装置および撮像システムにおいて、リニアアクチュエータで駆動されるフォーカスまたはズームの初期動作の終了は、該リニアアクチュエータで駆動されるユニット以外の検出可能なレンズ装置及び撮像システムの初期動作の終了を検出してから行うことを特徴とするレンズ装置および撮像システム。
【請求項６】
フォーカスとズームいずれもリニアアクチュエータで駆動するレンズ装置および撮像システム及び交換レンズシステムにおいてリニアアクチュエータで駆動されるフォーカス及びズームの初期動作の終了は、それら以外の検出可能なレンズ装置及び撮像システムの初期動作の終了を検出してから行うことを特徴とするレンズ装置および撮像システム。
【発明の詳細な説明】
【技術分野】
【０００１】
本発明は、レンズを有するレンズ装置及び、撮像装置とから構成されるビデオカメラやデジタルカメラ等の撮像システム及び、交換レンズシステムに関するものである。
【背景技術】
【０００２】
リニアモータをレンズの駆動に用いたレンズ装置及び撮像システムの初期動動作としてはリニアアクチュエータの原点検出方法としてレンズのメカ端に衝突させ原点位置検出を行なう方法として例えば特許番号３１７７９３１等が提案されている。
【特許文献１】特許番号３１７７９３１号公報
【発明の開示】
【発明が解決しようとする課題】
【０００３】
近年、レンズ装置及び撮像システム及び交換レンズシステムにおいては、撮影素子の高画素化や高画質化が進むと共にレンズ装置および撮像システムの全体性能の向上が要求され、レンズの位置制御についてはフォーカスの高速化、高性能化が常に課題とされているためフォーカスには広くリニアアクチュエータを用いられることが多くなってきた。リニアアクチュエータは従来のＤＣモータやステッピングモータと比較し、高速駆動が可能だからである。
【０００４】
しかしながらリニアアクチュエータの制御性はメカ的な摩擦と密接な関係を持っており、その摩擦を安定化させ、制御特性を安定化させるために一般的にグリースといった粘性の物質が使われる。このグリースはリニアアクチュエータの駆動範囲全体にわたって均一である事が望ましいが、環境や経時、保管姿勢などにより必ずしも均一である保証が無い。従って、位置によって摩擦が異なり、例えば均一状態と比較しグリースが溜まっていたりするようなときは摩擦が大きく、停止しやすい一方駆動時、起動しにくい。逆にグリースが少なく摩擦が小さい場合、駆動時、起動は行いやすいが、停止の際にオーバーシュートしやすく、発振するといった課題がある。
【０００５】
従って、レンズ装置及び撮像システムが機能をしているときにこのような状態であると、フォーカスの起動、停止精度が悪く、また、オーバーシュート目立ちや、合焦しないばかりか、ボケ止まってしまったり、いつまでも停止しないで行ったり来たりするような現象が起こりかねない。
【０００６】
また、交換レンズシステムにおけるリニアアクチュエータを用いた場合、同様な課題を有している。
【０００７】
更に、レンズ装置及び撮像システム及び交換レンズシステムにおいては電源投入からの高速起動により撮影機会をできるだけ損失したくないという課題もある。
【課題を解決するための手段】
【０００８】
上記の課題を解決するため、本発明では、撮像面に被写体像を結像させるレンズと、焦点調節を行うフォーカスと、該フォーカスを駆動するリニアアクチュエータ駆動手段と、焦点倍率を変更するズームと、該ズームを駆動する駆動手段と、該フォーカス、ズームの駆動制御を行なう制御手段を有し、該制御手段はフォーカスの初期動作終了をフォーカス以外の検出可能なレンズ装置及び撮像システムの初期動作の終了を検出してから行なうことを特徴とするレンズ装置および撮像システムを提供する。
【０００９】
また、撮像面に被写体像を結像させるレンズと、焦点調節を行うフォーカスと、該フォーカスを駆動するリニアアクチュエータ駆動手段と、焦点倍率を変更するズームと、該ズームを駆動する駆動手段と、該フォーカス、ズームの駆動制御を行う制御手段を有し、該制御手段はフォーカスの初期動作終了を少なくともズームの初期動作の終了を検出してから行うことを特徴とするレンズ装置および撮像システムを提供する。
【００１０】
また、上述において、該制御手段はフォーカス以外の初期動作終了の検出を行っている間にリニアアクチュエータの駆動を行うことを特徴とするレンズ装置および撮像システムを提供する。
【００１１】
更に、交換レンズシステムにおいて、交換レンズは撮像面に被写体像を結像させるレンズと、焦点調節を行うフォーカスと、該フォーカスを駆動するリニアアクチュエータ駆動手段と、焦点倍率を変更するズームと、該ズームを駆動する駆動手段と、該フォーカス、ズームの駆動制御を行なうレンズ制御手段を有し、該交換レンズを着脱可能なカメラは該レンズと通信する通信機能を有するカメラ制御手段と、撮像素子を有し、該レンズ制御手段はフォーカスの初期動作終了をフォーカス以外の検出可能な交換レンズのその他の初期動作の終了と、カメラ制御手段からのカメラ初期動作終了情報の検出を得てから行なうことを特徴とする交換レンズシステムを提供する。
【発明の効果】
【００１２】
以上説明したように、本発明によれば、撮像面に被写体像を結像させるレンズと、焦点調節を行うフォーカスと、該フォーカスを駆動するリニアアクチュエータ駆動手段と、焦点倍率を変更するズームと、該ズームを駆動する駆動手段と、該フォーカス、ズームの駆動制御を行う制御手段を有し、該制御手段はフォーカスの初期動作終了をフォーカス以外の検出可能なレンズ装置及び撮像システムの初期動作の終了を検出してから行なうことを特徴とするレンズ装置および撮像システムを提供すること、または、また、交換レンズシステムにおいて、交換レンズは撮像面に被写体像を結像させるレンズと、焦点調節を行うフォーカスと、該フォーカスを駆動するリニアアクチュエータ駆動手段と、焦点倍率を変更するズームと、該ズームを駆動する駆動手段と、該フォーカス、ズームの駆動制御を行なうレンズ制御手段を有し、該交換レンズを着脱可能なカメラは該レンズと通信する通信機能を有するカメラ制御手段と、撮像素子を有し、該レンズ制御手段はフォーカスの初期動作終了をフォーカス以外の検出可能な交換レンズのその他の初期動作の終了と、カメラ制御手段からのカメラ初期動作終了情報の検出を得てから行なうことを特徴とする交換レンズシステムを提供することで、、リニアアクチュエータの制御性と密接な関係を持っている摩擦を安定化させ、環境や経時、保管姿勢などにより必ずしも均一である保証が無い駆動範囲において、均一状態と比較し摩擦が大きいような場合は停止しやすい一方、駆動しにくく、逆に摩擦が小さい場合、駆動しやすいが、停止の際にオーバーシュートしやすいといった課題を初期動作終了時間を伸ばさずに行う事を実現させることができる。
【発明を実施するための最良の形態】
【００１３】
（第１実施形態）
図１は本発明の第１の実施形態に係る撮像装置の概略構成を示すブロック図である。図１において、１は光学系であり、４つのレンズ群よりなる４群構成のリアフォーカスズームレンズ（以下、ＲＦＺレンズと称する）により構成されている。すなわち、ＲＦＺレンズ１は、固定レンズ群である第１レンズ群（以下、前玉と称する）１０１、移動レンズ群であり変倍機能を有する第２のレンズ（以下、バリエータと称する）１０２、固定レンズ群である第３のレンズ群（以下、アフォーカルと称する）１０３、および移動レンズ群でありフォーカス機能と、変倍動作に伴う結像面位置の変動を補正するコンペンセータとしての機能を有する第４のレンズ群（以下、フォーカスコンペレンズと称する）により構成されている。
【００１４】
２はＣＣＤ等の光電変換素子、３は光電変換素子２への入射光量を調節するための絞り、４は絞り３の開口度を変化させるための絞り駆動部、５は絞り３の位置を検出する絞り位置検出部、６は絞り位置検出部５の出力信号に基づいて絞り３の開口度（絞り量）を検出する検出回路、７は本撮像装置による撮像動作を統括的に制御する制御部である。
【００１５】
なお、制御部７は、マイクロコンピュータにより構成され、図示省略したＣＰＵ、ＲＯＭ、ＲＡＭを有している。ＣＰＵは、ＲＯＭに記憶された制御プログラムに従って、ＲＡＭをワークエリア等として利用しながら、バリエータ１０２、フォーカスコンペレンズ１０４の移動制御等の各種動作を制御する。
【００１６】
８はズームレンズ１０２を移動させる為のステッピングモータで、モータドライバ１０より駆動される。ズームレンズ９は電源投入時位置検出の為の初期動作を行なう。フォーカスレンズ１０４を移動させるためのリニアアクチュエータで、ドライバ１１により駆動され、１７の例えばＭＲ素子などを用いた位置検出手段及び検出回路１８により位置を検出する。このフォーカスレンズも電源投入時位置検出の為の初期動作が行なわれる。１２は光電変換素子２の出力信号を増幅させるアンプ、１３は増幅された信号をＮＴＳＣ映像信号等の映像信号に変換するプロセス回路で制御手段７に有るＡＦ制御手段１４でＡＦを行なうためのＡＦ信号も出力する。この映像信号を利用した自動合焦方式としては、山登り方式など各種の方式が提案されている（特開昭６２―１０３６１６号公報等）。
【００１７】
本実施例の目的はリニアアクチュエータの駆動特性をできるだけ良い状態で制御できるようにレンズ装置及び撮像システムにおける初期動作中にその高速駆動性に着目し、前記装置およびシステムのリニアアクチュエータ以外の電源投入直後から起動、機能するまでの初期動作の間にリニアアクチュエータの駆動を行い、また、継続することで、リニアアクチュエータに使われるグリースの粘性をリニアアクチュエータ駆動範囲全体にわたりならしめ、均一な駆動特性を実現させることに有る。
【００１８】
リニアアクチュエータの制御性はメカ的な摩擦と密接な関係を持っており、その摩擦を安定化させ、制御特性を安定化させるために一般的にグリースといった粘性の物質が使われる。このグリースはリニアアクチュエータの駆動範囲全体にわたって均一である事が望ましいが、環境や経時、保管姿勢などにより必ずしも均一である保証が無い。従って、位置によって摩擦が異なり、均一状態と比較し摩擦が大きいような場合は停止しやすい一方、駆動しにくく、逆に摩擦が小さい場合、駆動しやすいが、停止の際にオーバーシュートしやすいといった課題がある。
【００１９】
図２はグリースが均一である場合とない場合のリニアアクチュエータの駆動特性のばらつきをパルス応答特性で表したものである。
【００２０】
図中Ａは良好な状態、Ｂはグリースが多いまたはたまり気味な状態、Ｃはグリースが不足または抜け気味な状態のときを表している。
【００２１】
ａは駆動、停止命令に対してスムーズに追従するのに対して、ｂは駆動命令に対して反応時間がかかるだけでなく、駆動位置に対しての停止位置が誤差、偏差を持っている。また、ｃは駆動命令に対する応答性は良いものの、停止するまでオーバーシュートを繰り返し、また、目標とする停止位置までの時間が多くかかってしまっている。
【００２２】
このように、環境や経時、保管姿勢などにより駆動範囲の部分的にはｂやｃのような状態になることは容易に想像でき、常にリニアアクチュエータの駆動範囲全体に渡って図２のａのように良好なグリースの状態でいることは考えにくい。
【００２３】
従って、レンズ装置及び撮像装置が機能をしているときにこのような状態であると、ｂの場合ＡＦの起動、停止精度が悪く、また、ｃではオーバーシュートが目立ったり、またはいずれも合焦しないばかりか、ボケ止まってしまったり、いつまでも停止しないで行ったり来たりするような現象が起こりかねない。
【００２４】
そこで、できるだけ図２ａの状態にしてからレンズ装置及び撮像システムを機能させるために電源投入直後の初期動作中に行いたい。また、なおかつ、電源投入時からの初期動作時間を伸ばさない為に、本実施例ではリニアアクチュエータは他の初期動作の終了の検出が行なわれるまでの間での駆動を行い、できるだけ粘性を均一にしようとするものである。
【００２５】
図３にフローを示す。
【００２６】
３０１において、電源が投入されると、３０２においてレンズ装置及び撮像システムにおいて各種初期動作が必要な機能、例えばズームレンズ、ＣＣＤ、フォーカスレンズの初期動作をスタートさせる。３０３においてフォーカスの原点位置検出の終了を判定し、未だの場合継続し、終了していたら３０４において他の初期動作の終了状態を検出する。終了していないものがあれば３０５においてフォーカス駆動を行なう。この際駆動は駆動範囲全体を往復したりすると好ましい。３０５に戻り他の検出可能な初期動作が全て終了していたら、３０６においてフォーカス駆動を停止し、フォーカス初期動作が終了する。
【００２７】
このように本実施例によれば、リニアアクチュエータの駆動範囲にわたり均一ならしめるグリースの粘性を初期動作終了時間を極力伸ばさずに実現できる。
【００２８】
また、本実施形態ではズームをステッピングモータ、フォーカスをリニアモータとしたが、これをズームをリニアモータ、フォーカスをステッピングモータとしてもよく、フォーカス、ズームいずれかがリニアアクチュエータを使用していれば、本実施形態の目的とする効果を得ることができることは言うまでも無い。
【００２９】
更に、フォーカス、ズームいずれもリニアアクチュエータを使用している場合は、やはりフォーカス、ズームそれぞれの原点確認動作後、それら以外の初期動作が終了していないときは本実施形態同様にそれぞれ駆動を行い、終了を検出してからフォーカス、ズームそれぞれの初期動作を終了させればよいことは容易に想像できるものである。
【００３０】
（第２実施形態）
図４は本発明の第２の実施形態に係る撮像装置の概略構成を示すブロック図で、交換レンズシステムである。図１において、１は光学系であり、４つのレンズ群よりなる４群構成のリアフォーカスズームレンズ（以下、ＲＦＺレンズと称する）により構成されている。すなわち、ＲＦＺレンズ１は、固定レンズ群である第１レンズ群（以下、前玉と称する）１０１、移動レンズ群であり変倍機能を有する第２のレンズ（以下、バリエータと称する）１０２、固定レンズ群である第３のレンズ群（以下、アフォーカルと称する）１０３、および移動レンズ群でありフォーカス機能と、変倍動作に伴う結像面位置の変動を補正するコンペンセータとしての機能を有する第４のレンズ群（以下、フォーカスコンペレンズと称する）により構成されている。
【００３１】
２はＣＣＤ等の光電変換素子、３は光電変換素子２への入射光量を調節するための絞り、４は絞り３の開口度を変化させるための絞り駆動部、５は絞り３の位置を検出する絞り位置検出部、６は絞り位置検出部５の出力信号に基づいて絞り３の開口度（絞り量）を検出する検出回路、７は本撮像装置による撮像動作を統括的に制御する制御部である。
【００３２】
なお、制御部７は、マイクロコンピュータにより構成され、図示省略したＣＰＵ、ＲＯＭ、ＲＡＭを有している。ＣＰＵは、ＲＯＭに記憶された制御プログラムに従って、ＲＡＭをワークエリア等として利用しながら、バリエータ１０２、フォーカスコンペレンズ１０４の移動制御等の各種動作を制御する。
【００３３】
カメラユニットのカメラ制御手段１７はＡＦのための合焦信号を生成するプロセス回路１３の出力および、絞り動作のための出力などをカメラ接点１８及びレンズ接点１９を介し、レンズユニット制御手段７に通信を行う。レンズユニット制御手段７はその情報からＡＦや絞りの動作を行い、ズーム位置フォーカス位置、絞り位置等をカメラユニット制御手段に通信で送るなど、それぞれの制御手段は送受信が可能である。
【００３４】
カメラ制御手段１７は撮像素子２や図示しない記録部の初期動作の終了、あるいはカメラユニットが出画可能であることをレンズ制御手段７に通信で送る機能を有している。カメラ制御手段１７はまた、レンズ手段７からの初期動作終了情報、あるいは出画許可情報を得て、カメラ画像の出画を行なうものである。
【００３５】
本実施形態の目的は第１の実施形態と同様で、構成が交換レンズシステムである場合の実施形態を説明するものである。
【００３６】
図５にレンズ制御手段７の制御フローを示す。
【００３７】
５０１において、電源が投入されると、５０２において各種初期動作が必要な機能、例えばズームレンズ、ＣＣＤ、フォーカスレンズの初期動作をスタートさせる。５０３においてフォーカスの原点位置検出の終了を判定し、未だの場合継続し、終了していたら５０４においてレンズ制御手段７とカメラ制御手段１７で通信を行い、５０５においてレンズユニットの他の初期動作の終了及びカメラの初期動作終了情報から初期動作終了状態を検出する。終了していないものがあれば５０６においてフォーカス駆動を行なう。この際駆動は駆動範囲全体を往復したりすると好ましい。５０４に戻り５０５において検出可能な初期動作が全て終了していたら、５０７においてフォーカス駆動を停止し、フォーカス初期動作を終了させ、５０８においてレンズ制御手段はカメラに制御手段に初期動作終了情報を送信する。
【００３８】
また、本実施形態ではズームをステッピングモータ、フォーカスをリニアモータとしたが、これをズームをリニアモータ、フォーカスをステッピングモータとしてもよく、フォーカス、ズームいずれかがリニアアクチュエータを使用していれば、本実施形態の目的とする効果を得ることができることは言うまでも無い。
【００３９】
更に、フォーカス、ズームいずれもリニアアクチュエータを使用している場合は、やはりフォーカス、ズームそれぞれの原点確認動作後、それら以外の初期動作が終了していないときは本実施形態同様にそれぞれ駆動を行い、終了を検出してからフォーカス、ズームそれぞれの初期動作を終了させればよいことは容易に想像できるものである。
【図面の簡単な説明】
【００４０】
【図１】第１の実施例を示す。
【図２】第１の実施例の説明のための図。
【図３】第１の実施例の説明のためのフローチャート。
【図４】第２の実施例の説明のための図。
【図５】第２の実施例の説明のためのフローチャート。
【図１】
2006030767.tif 000003
【図２】
2006030767.tif 000004
【図３】
2006030767.tif 000005
【図４】
2006030767.tif 000006
【図５】
2006030767.tif 000007